Podtech/llm-jp-corpus-v4-ja_patent huggingface dataset:
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
（ａ）ヌクレオチド付加反応を起こすことが可能な空間的に隔離された反応部位のアレイを有するあらかじめパターン形成された基板をもつ反応器と、
（ｂ）ヌクレオチド付加反応を促進することが可能な光を与える光源と、
（ｃ）前記光源と前記反応器との間の光路に沿って位置決めされ、前記光を受け取り、この光が、前記あらかじめパターン形成された基板の前記隔離された反応部位のサブセットに対応する照射部分をもつように、光にパターンを印加するパターン生成器と、
（ｄ）前記照射部分が該反応部位と位置合わせされるように、前記光パターンを該あらかじめパターン形成された基板上に投射する投射光学系と、
を備えることを特徴とするＤＮＡ合成装置。
【請求項２】
前記投射光学系、前記パターン生成器、及び前記基板のうちの少なくとも２つの相対的配置を調整する位置合わせ手段をさらに含むことを特徴とする、請求項１に記載の装置。
【請求項３】
前記投射光学系、前記パターン生成器、及び前記基板のうちの少なくとも２つの相対的配置の調整を制御するために、前記あらかじめパターン形成された基板からの光を受け取る光センサをさらに備えることを特徴とする、請求項２に記載の装置。
【請求項４】
前記あらかじめパターン形成された基板の前記空間的に隔離された反応部位の前記アレイと前記光パターンの前記照射部分との間の、糸巻形、台形、樽形、該基板に関して該基板の面に沿った並進、該基板と垂直な回転、過剰拡大、及び過小拡大からなる群から選択される該照射部分のゆがみをもたらす位置ずれを補正するために、前記投射光学系、前記パターン生成器、及び該基板のうちの少なくとも２つの相対的配置の手動調整を可能にする位置合わせ手段を含むことを特徴とする、請求項１に記載の装置。
【請求項５】
前記光パターンで照射されたとき、前記あらかじめパターン形成された基板が、該光パターンの少なくとも一部のイメージを再生して、モアレ干渉パターンを与えることを特徴とする、請求項１に記載の装置。
【請求項６】
前記パターン生成器が、前記光源と前記反応器との間の光路に沿って位置決めされ、前記光を受け取って反射する電子的に方向付けすることができる１組のマイクロミラーであることを特徴とする、請求項１に記載の装置。
【請求項７】
前記電子的に方向付けすることができるマイクロミラーのイメージが、ミラー領域とレーン領域とを含み、前記あらかじめパターン形成された基板が、前記ミラー領域に対応する反応部位と、前記レーンに対応する反応隔離領域とを含むことを特徴とする、請求項６に記載の装置。
【請求項８】
前記反応隔離領域が、前記反応部位と比べて少ない光反射を与えるように処理されることを特徴とする、請求項６に記載の装置。
【請求項９】
前記反応隔離領域が、前記反応部位と比べて多くの光反射を与えるように処理されることを特徴とする、請求項６に記載の装置。
【請求項１０】
前記反応隔離領域が、角度を持たせた反射を与えるように格子状に刻印されることを特徴とする、請求項９に記載の装置。
【請求項１１】
前記反応隔離領域が、該反応隔離領域におけるヌクレオチド付加反応を阻害するように処理されることを特徴とする、請求項１に記載の装置。
【請求項１２】
（ａ）反応器内でヌクレオチド付加反応を起こすことが可能な空間的に隔離された反応部位のアレイを有するあらかじめパターン形成された基板を位置決めし、
（ｂ）ヌクレオチド付加反応を促進することが可能な光源を設け、
（ｃ）前記隔離された反応部位のサブセットに対応する照射部分をもつ光パターンを、前記照射部分が該反応部位と位置合わせされるように、前記あらかじめパターン形成された基板上に投射する、
ステップを含むことを特徴とするＤＮＡ合成方法。
【請求項１３】
前記あらかじめパターン形成された基板上の前記光パターンの相対的配置を調整するステップをさらに含むことを特徴とする、請求項１２に記載の方法。
【請求項１４】
前記あらかじめパターン形成された基板上の前記光パターンの相対的配置の調整を制御するために、該あらかじめパターン形成された基板から出る光を検出するステップをさらに含むことを特徴とする、請求項１３に記載の方法。
【請求項１５】
糸巻形、台形、樽形、前記基板に関して該基板の面に沿った並進、該基板と垂直な回転、過剰拡大、及び過小拡大からなる群から選択されるゆがみを補正するために、前記光パターンを手動で調整するステップをさらに含むことを特徴とする、請求項１２に記載の方法。
【請求項１６】
前記光パターンで照射されたとき、前期あらかじめパターン形成された基板の前記パターンが、該光パターンの少なくとも一部のイメージを再生して、モアレ干渉パターンを与えることを特徴とする、請求項１２に記載の方法。
【請求項１７】
前記あらかじめパターン形成された基板の前記パターンが、ミラー領域とレーン領域とを有する電子的に方向付けすることができる１組のマイクロミラーのイメージを再生し、該あらかじめパターン形成された基板の該パターンが、前記ミラー領域に対応する反応部位と、前記レーンに対応する反応隔離領域とを含むことを特徴とする、請求項１２に記載の方法。
【請求項１８】
前記反応部位と比べて少ない光反射を与えるように、前記反応隔離領域を処理するステップを含むことを特徴とする、請求項１７に記載の方法。
【請求項１９】
前記反応部位と比べて多くの光反射を与えるように、前記反応隔離領域を処理するステップを含むことを特徴とする、請求項１７に記載の方法。
【請求項２０】
角度を持たせた反射を与えるように、前記反応隔離領域を格子状に刻印するステップを含むことを特徴とする、請求項１７に記載の方法。
【請求項２１】
前記反応隔離領域におけるヌクレオチド付加反応を阻害するように、該反応隔離領域を処理するステップを含むことを特徴とする、請求項１２に記載の方法。
【手続補正書】
【提出日】平成18年5月8日(2006.5.8)
【手続補正１】
【補正対象書類名】特許請求の範囲
【補正対象項目名】請求項１１
【補正方法】変更
【補正の内容】
【請求項１１】
請求項1記載の核酸分子に作動可能に連結される転写調節ヌクレオチド配列および翻訳調節ヌクレオチド配列を含む発現ベクター。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
E7ポリペプチドが、配列番号14のアミノ酸24、26または91に対応する１つ以上のアミノ酸で突然変異を有し、E6ポリペプチドが、配列番号13のアミノ酸63または106に対応する１つ以上のアミノ酸で突然変異を有しないか、または有するものである、ヒトパピローマウイルスE6およびE7ポリペプチドを含むポリペプチド。
【請求項２】
突然変異アミノ酸が、グリシンに突然変異される請求項1に記載のポリペプチド。
【請求項３】
E7ポリペプチドが、E6ポリペプチドに先行する請求項1に記載のポリペプチド。
【請求項４】
E7ポリペプチドが、E6ポリペプチドに先行する請求項2に記載のポリペプチド。
【請求項５】
請求項1のポリペプチドをコードする単離核酸。
【請求項６】
E7のヌクレオチド配列が、E6のヌクレオチド配列に先行する請求項5に記載の核酸。
【請求項７】
発現制御配列の調節下にある請求項5の核酸配列を含む発現ベクター。
【請求項８】
請求項5の核酸を含む宿主細胞。
【請求項９】
請求項1のポリペプチドを発現する宿主細胞。
【請求項１０】
請求項7の発現ベクターを含む宿主細胞。
【請求項１１】
（a）請求項1のポリペプチド；および
（b）医薬上許容しうる担体を含む免疫原性組成物。
【請求項１２】
アジュバントをさらに含む請求項11に記載の免疫原性組成物。
【請求項１３】
請求項5の核酸を含む免疫原性組成物。
【請求項１４】
ウイルスが、修飾ベネズエラウマ脳脊髄炎ウイルスである請求項5に記載の該酸を含む組換え体ウイルス。
【請求項１５】
子宮頸癌と診断された患者に、保護的免疫反応を生じるのに十分な量で、請求項11に記載の免疫原性組成物を投与することを含む、子宮頸癌を治療する方法。
【請求項１６】
個体に、保護的免疫反応を生じるのに十分な量で、請求項11に記載の免疫原性組成物を投与することを含む、子宮頸癌を予防する方法。
【請求項１７】
個体に、保護的免疫反応を生じるのに十分な量で、請求項7の発現ベクターを投与することを含む、子宮頸癌を予防する方法。
【請求項１８】
子宮頸癌と診断された患者に、保護的免疫反応を生じるのに十分な量で、請求項7の発現ベクターを投与することを含む、子宮頸癌を治療する方法。
【手続補正書】
【提出日】平成18年10月4日(2006.10.4)
【手続補正１】
【補正対象書類名】明細書
【補正対象項目名】００３９
【補正方法】変更
【補正の内容】
【００３９】
同様に、細胞外マトリックスタンパク質（トロンボスポンジン−１および−２）、軸索誘導タンパク質、Ｆ−スポンジン、Ｍ−スポンジン、ＳＣＯ−スポンジン、セマフォリンＦおよびＧ、ＲＮアーゼ２、血管形成に関与するタンパク質（例えば、脳特異的アンジオゲニンインヒビターＢＡＩ−１、−２および−３）、メタロプロテアーゼ（ＡＤＡＭＴＳ）、アグレカナーゼ、ＧＯＮ−１、プロコラーゲンＩ Ｎ−プロテイナーゼ、ラクニン(lacunin)、ＴＲＡＰ、およびサイトカイン受容体（例えば、エリスロポエチン、成長ホルモン、プロラクチン、インターロイキン−２、−３、−４、−５、−６、−７、−９、−１１、−１３、ＧＭ−ＣＳＦ、Ｇ−ＣＳＦ、白血病阻害因子、オンコスタチン−Ｍ、毛様体神経栄養因子、トロンボポエチン(thrombopoieitin)、カルシトニンおよびレプチンの受容体）のＣ−マンノシル化も、所望の作用を達成するために調節できる。よって、ＣＭＴ活性のモジュレーターは細胞増殖、シグナル伝達、神経再生および神経変性、血管形成、アポトーシス、免疫炎症、細胞輸送、タンパク質合成および輸送、ならびに寄生体−宿主相互作用の調節に有用である。
【手続補正２】
【補正対象書類名】明細書
【補正対象項目名】００５６
【補正方法】変更
【補正の内容】
【００５６】
実施例２：細胞に基づくＣＭＴ活性に関するアッセイ
この系はここでは、修飾されている場合タンパク質化学分析によって認識され得るＣ−マンノシル化モチーフを含む表面結合マーカータンパク質を用いて例示する。その方法論は、タンパク質化学分析が上記で用いたフローサイトメトリーに取って代わるか、または補足すること以外は、本質的に実施例１に記載した通りである。
【手続補正３】
【補正対象書類名】明細書
【補正対象項目名】００６３
【補正方法】変更
【補正の内容】
【００６３】
実施例５：細胞に基づくＣＭＴインヒビターに関するスクリーニング
ＡＰＮ−ＧＳＴ−ＷＡＱＷＡとＣＤ５９を安定発現するＨＥＫ２９３Ｔ細胞を実施例２に記載のようにＴＥＶプロテアーゼで処理する。プロテアーゼを洗い流した後、細胞を約５０％のコンフルエンシーで３８４ウェルマイクロタイタープレートのウェルに播種する。試験薬剤をＤＭＳＯ中の保存液として最終濃度１ｍＭ〜１０ｍＭまで加え、１８時間および３６時間インキュベーションを続ける。抗体の結合およびインヒビターの確認については、実施例４に記載のようにアッセイする。
【手続補正書】
【提出日】平成18年10月6日(2006.10.6)
【手続補正１】
【補正対象書類名】特許請求の範囲
【補正対象項目名】請求項６
【補正方法】変更
【補正の内容】
【請求項６】
前記油脂を構成する高度不飽和脂肪酸がγ-リノレン酸（18:3 ω6）、ジホモ-γ-リノレン酸（20:3 ω6）、アラキドン酸（20:4 ω6）、7,10,13,16-ドコサテトラエン酸（22:4 ω6）、4,7,10,13,16-ドコサペンタエン酸（22:5 ω6）、α-リノレン酸（18:3 ω3）、6,9,12,15-オクタデカテトラエン酸（18:4 ω3）、8,11,14,17-エイコサテトラエン酸（20:4 ω3）、エイコサペンタエン酸（20:5 ω3）、7,10,13,16,19-ドコサペンタエン酸（22:5 ω3）、4,7,10,13,16,19-ドコサヘキサエン酸（22:6 ω3）、6,9-オクタデカジエン酸（18:2 ω9）、8,11-エイコサジエン酸（20:2 ω9）若しくは5,8,11-エイコサトリエン酸（ミード酸：20:3 ω9）又はこれらの組み合わせである、請求項1〜５のいずれか１項に記載の方法。
【手続補正２】
【補正対象書類名】明細書
【補正対象項目名】００３１
【補正方法】変更
【補正の内容】
【００３１】
本発明は更に、前記の粗油及び／又は精製油脂を配合してなる一般飲食物、機能性食品、栄養補助食品、未熟児用調製乳、成熟児用調製乳、乳幼児食品、妊産婦用食品又は老人用食品を提供する。
本発明はまた、前記の粗油及び／又は精製油脂を、場合によっては経口、腸内又は非経口投与に適した中性の担体と共に配合した治療用栄養食品を提供する。
本発明は更に、前記の粗油及び／又は精製油脂を配合した、動物用飼料又は養魚用飼料を提供する。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
次式：
【化１】
2006501831.tif 000001
［式中、
Ｒ1及びＲ2の一方は、互いに独立して水素原子；炭素原子数１ないし１８のアルキル基、フェニル基、（炭素原子数１ないし４のアルキル）1-3フェニル基、フェニル−炭素原
子数１ないし３のアルキル基、（炭素原子数１ないし４のアルキル）1-3フェニル−炭素
原子数１ないし３のアルキル基、炭素原子数５ないし１２のシクロアルキル基及び（炭素原子数１ないし４のアルキル）1-3炭素原子数５ないし１２のシクロアルキル基又は次式
：
【化２】
2006501831.tif 000002
（式中、Ｒaは水素原子又は、炭素原子数１ないし４のアルキル基、ハロゲン原子及びス
ルホ基からなる群から選択された置換基を表わす。）で表わされる基からなる群から選択された置換基を表わし、
そしてＲ1及びＲ2の他方は、炭素原子数４ないし１８のアルキル基、フェニル基、（炭素原子数１ないし４のアルキル）1-3フェニル基、フェニル−炭素原子数１ないし３のア
ルキル基、（炭素原子数１ないし４のアルキル）1-3フェニル−炭素原子数１ないし３の
アルキル基、炭素原子数５ないし１２のシクロアルキル基及び（炭素原子数１ないし４のアルキル）1-3炭素原子数５ないし１２のシクロアルキル基又は部分式（Ａ）で表わされ
る基を表わし、
Ｒ3は水素原子又はメチル基を表わし、
ｍは０又は１を表わし、そして
ｎは数１ないし４を表わし、そして、
ｎが１を表わすとき、
ｍは０又は１を表わし、Ｙは一価基−Ｏ−Ｙ1又は−Ｎ−（−Ｙ2）2を表わし、
式中、Ｙ1は炭素原子数５ないし４５のアルキル基、少なくとも１個のＯ−ヘテロ原子
により中断された炭素原子数３ないし４５のアルキル基、炭素原子数５ないし１２のシクロアルキル基、炭素原子数２ないし１２のアルケニル基、次式：
−ＣＨ2−ＣＨ（ＯＨ）−ＣＨ2−Ｏ−Ｃ（＝Ｏ）−Ｒb（Ｂ）
で表わされる基を表わし、
式Ｂ中、
Ｒbは水素原子又は、炭素原子数１ないし８のアルキル基、炭素原子数３ないし５のア
ルケニル基及びベンジル基及び次式：
−ＣＨ2−ＣＨ2−Ｏ−Ｒc（Ｃ）
で表わされる基からなる群から選択された置換基を表わし、
式Ｃ中、
Ｒcは水素原子又は、炭素原子数１ないし２４のアルキル基、炭素原子数５ないし１２
のシクロアルキル基、フェニル基、
次式：
−ＣＨＲd−ＣＨＲe−Ｃ（＝Ｏ）−Ｒf（Ｃ1）
（式中、
Ｒd及びＲeの一方はメチル基を表わし、そして他方はメチル基を表わし、そしてＲfは
水素原子又は炭素原子数１ないし２４のアルキル基を表わす。）で表わされる基、
次式：
【化３】
2006501831.tif 000003
（式中、
Ｒ1及びＲ2は上記において定義されたものと同じ意味を表わす。）で表わされる基、及び
次式：
−ＣＨ2−Ｃ（＝Ｏ）−Ｏ−Ｒf（Ｃ3）
（式中、
Ｒfは上記において定義されたものと同じ意味を表わす。）で表わされる基
からなる群から選択された置換基を表わし、そして、
Ｙ2はヒドロキシ−炭素原子数２ないし４のアルキル基を表わし、
ｎが２を表わすとき、
ｍは０を表わし、Ｙは、
−Ｏ−ＣxＨ2x−Ｏ−（Ｄ）
（式中、ｘは数２ないし２０を表わす。）、
−Ｏ−（ＣＨ2−ＣＨ2−Ｏ）y−ＣＨ2−ＣＨ2−Ｏ−（Ｅ）
（式中、ｙは数１ないし３０を表わす。）、
−Ｏ−ＣＨ2−ＣＨ2−Ｓ−ＣＨ2−ＣＨ2−Ｏ−（Ｆ）
−Ｏ−ＣＨ2−ＣＨ＝ＣＨ−ＣＨ2−Ｏ−（Ｇ）、及び
−ＮＨ−（ＣＨ2）zＮＨ−（Ｈ）
（式中、ｚは０又は数２ないし１０を表わす。）
からなる群から選択された二価基を表わし、そして
ｎが３を表わすとき、
ｍは０を表わし、そしてＹは、
【化４】
2006501831.tif 000004
（式中、Ｒgは炭素原子数１ないし２４のアルキル基又はフェニル基を表わす。）及び
【化５】
2006501831.tif 000005
からなる群から選択された三価基を表わし、そして、
ｎが４を表わすとき、
ｍは０を表わし、そしてＹは部分式：
【化６】
2006501831.tif 000006
で表わされる四価基を表わす。］で表わされる化合物の製造方法であって、
次式：
【化７】
2006501831.tif 000007
（式中、
Ｒ1、Ｒ2、Ｒ3及びｍは上記において定義されたものと同じ意味を表わし、そしてＸは
反応性離脱基を表わす。）で表わされる化合物において、
基Ｘは、数ｎの値に対応する一価−、二価−、三価−又は四価基Ｙで、即ち、
ｎが１を表わすとき、一価基−Ｏ−Ｙ1又は−Ｎ−（Ｙ2）2で、
ｎが２を表わすとき、二価基（Ｄ）、（Ｅ）、（Ｆ）、（Ｇ）又は（Ｈ）の一つで、或いは、
ｎが３を表わすとき、部分式（Ｋ）又は（Ｌ）で表わされる三価基で、或いは、
ｎが４を表わすとき、部分式（Ｍ）で表わされる四価基で、
酵素触媒反応により置換されることを特徴とする方法。
【請求項２】
化合物（Ｉ）［式中、
Ｒ1及びＲ2の一方はメチル基又は第三ブチル基を表わし、そしてＲ1及びＲ2の他方は第三ブチル基を表わし、
Ｒ3は水素原子を表わし、
ｍは０又は１を表わし、そして
ｎは数１ないし４を表わし、そして，
ｎが１を表わすとき、Ｙは一価基−Ｏ−Ｙ1又は−Ｎ−（−Ｙ2）2を表わし、
式中、Ｙ1は炭素原子数５ないし２０のアルキル基及び少なくとも１個のＯ−ヘテロ原
子により中断された炭素原子数３ないし２０のアルキル基を表わし、そしてＹ2はヒドロ
キシ−炭素原子数２ないし４のアルキル基を表わし、そして、
ｎが２を表わすとき、
ｍは０を表わし、Ｙは、
−Ｏ−ＣxＨ2x−Ｏ−（Ｄ）
（式中、ｘは数２ないし１０を表わす。）、
−Ｏ−（ＣＨ2−ＣＨ2−Ｏ）y−ＣＨ2−ＣＨ2−Ｏ−（Ｅ）
（式中、ｙは数１ないし１０を表わす。）、
−Ｏ−ＣＨ2−ＣＨ2−Ｓ−ＣＨ2−ＣＨ2−（Ｆ）
−ＮＨ−（ＣＨ2）zＮＨ−（Ｈ）
（式中、ｚは０又は数２ないし１０を表わす。）
からなる群から選択された二価基を表わし、そして、
ｎが３を表わすとき、
ｍは０を表わし、そしてＹは三価基（Ｌ）を表わし、そして、
ｎが４を表わすとき、
ｍは０を表わし、そしてＹは四価基（Ｍ）を表わす。］を製造するための請求項１記載の方法であって、
請求項１記載のプロセス段階が行われることを特徴とする方法。
【請求項３】
ａ）式（Ｉ）［式中、Ｒ1、Ｒ2、Ｒ3、ｍ、ｎ及びＹは、請求項１において定義されたも
のと同じ意味を表わす。］で表わされる化合物、並びに
ｂ）化合物（ＩＩ）において、一価−、二価−、三価−又は四価基Ｙによる反応性離脱基Ｘの除去を触媒する酵素触媒、
を含む組成物。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
膜、並びに
マトリックスが末梢及び内側末端を有し、ここで末梢が内側末端よりも厚さを有する、I型コラーゲンに基づく重合体マトリックス
を含む半月板インプラントであって、
マトリックス及び膜の両方が生体適合性かつ生体吸収性であり、
該マトリックスの少なくとも一つの表面が部分的又は全体的に膜で被包される、
半月板インプラント。
【請求項２】
膜が非合成生体膜である、請求項1のインプラント。
【請求項３】
生体膜が、心膜、小腸粘膜下組織膜、又は腹膜である、請求項2のインプラント。
【請求項４】
マトリックスが、大腿骨顆の関節面に面するように適合させた少なくとも一つの表面を有する、請求項1記載のインプラント。
【請求項５】
膜、並びに
マトリックスが末梢及び内側末端を有し、ここで末梢が内側末端よりも厚さを有する、重合体マトリックス
を含む半月板インプラントであって、
マトリックス及び膜の両方が生体適合性かつ生体吸収性であり、
膜がインビボで大腿骨顆の関節面に面するマトリックスの表面の一部又は全てを被包している、
半月板インプラント。
【請求項６】
マトリックスが、バイオポリマーに基づくマトリックスである、請求項5のインプラント。
【請求項７】
マトリックスが、コラーゲンに基づくマトリックスである、請求項6のインプラント。
【請求項８】
マトリックスが、I型コラーゲンに基づくマトリックスである、請求項7のインプラント。
【請求項９】
膜が非合成生体膜である、請求項5のインプラント。
【請求項１０】
生体膜が、心膜、小腸粘膜下組織膜、又は腹膜である、請求項9のインプラント。
【請求項１１】
膜が、インビボで大腿骨顆の関節面に面するマトリックスの表面の一部を被包している、請求項5のインプラント。
【請求項１２】
膜が、インビボで大腿骨顆の関節面に面するマトリックスの表面の全てを被包している、請求項5のインプラント。
【請求項１３】
膜が、マトリックスの表面全ての一つを被包している、請求項1のインプラント。
【請求項１４】
膜が、マトリックスの表面の一部を被包している、請求項1のインプラント。
【請求項１５】
インプラントの横断面がわずかに凹状の三角形である、請求項1のインプラント。
【請求項１６】
マトリックスの末梢の厚さが約8mmである、請求項1のインプラント。
【請求項１７】
インプラントの横断面がわずかに凹状の三角形である、請求項5のインプラント。
【請求項１８】
マトリックスの末梢の厚さが約8mmである、請求項5のインプラント。
【請求項１９】
内側末端が細い先端を含む、請求項1のインプラント。
【請求項２０】
内側末端が細い先端を含む、請求項5のインプラント。
【請求項２１】
膜が、インビボで大腿骨顆の関節面に面するマトリックスの表面の一部を被包している、請求項1のインプラント。
【請求項２２】
膜が、インビボで大腿骨顆の関節面に面するマトリックスの表面の全てを被包している、請求項1のインプラント。
【請求項２３】
半月板の繊維軟骨（fibrocartilages）を再生する、請求項1のインプラント。
【請求項２４】
半月板の繊維軟骨を再生する、請求項5のインプラント。
【請求項２５】
インプラントおよび半月板の一部によって形成された複合物のインビボにおける外表面輪郭が、実質的に天然の半月板と同一である、請求項1のインプラント。
【請求項２６】
インプラントおよび半月板の一部によって形成された複合物のインビボにおける外表面輪郭が、実質的に天然の半月板と同一である、請求項5のインプラント。
【請求項２７】
マトリックスが、大腿骨顆の関節面に面するように適合させた少なくとも一つの表面を有する、請求項5記載のインプラント。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
生物発光および／または蛍光マーカーおよび放射性マーカーのインビボ分布を同一の投影角で同時に決定するためのイメージング方法であって，生物発光および／または蛍光マーカーの分布は，生物発光および／または蛍光マーカーにより放出される第１の平均エネルギーを有する光子を少なくとも１つの第１の検出器により独立して検出することにより決定され，放射性マーカーの分布は，放射性マーカーにより放出される第２の平均エネルギーを有する光子を少なくとも１つの第２の検出器により同時に独立して検出することにより決定されることを特徴とする方法。
【請求項２】
第１の平均エネルギーを有する生物発光および／または蛍光マーカーの光子と第２の平均エネルギーを有する放射性マーカーの光子とが，光子をそのエネルギーに依存する様式で本質的に反射または透過する層の助けにより，独立した検出のために分離される，請求項１記載のイメージング方法。
【請求項３】
層が，生物発光および／または蛍光マーカーの光子を少なくとも１つの第１の検出器の方向に反射し，かつ，放射性マーカーの光子を少なくとも１つの第２の検出器の方向に透過させるよう作用する，請求項２記載のイメージング方法。
【請求項４】
生物発光および／または蛍光マーカーが，ルシフェラーゼレポーターのマーカー，近赤外線領域に放出波長を有するマーカー分子（ＮＩＲＦ分子）およびＧＦＰ（グリーン蛍光蛋白質）の分子からなる群から選択される少なくとも１つのマーカーを含む，請求項１−３のいずれかに記載のイメージング方法。
【請求項５】
放射性マーカーが，Ａｓ−７２，Ｂｒ−７５，Ｃｏ−５５，Ｃｕ−６１，Ｃｕ−６７，Ｇａ−６７，Ｇｄ−１５３，Ｉ−１２３，Ｉ−１２５，Ｉ−１３１，Ｉｎ−１１１，Ｒｕ−９７，Ｔｌ−２０１，Ｔｃ−９９ｍおよびＸｅ−１３３から選択される少なくとも１つのマーカーを含む，請求項１−４のいずれかに記載のイメージング方法。
【請求項６】
第１の平均エネルギーを有する光子の検出が，少なくとも１つのＣＣＤカメラにより行われ，第２の平均エネルギーを有する光子の検出が，少なくとも１つの窓を含みコリメータを含む少なくとも１つの単一光子放出コンピュータトモグラフィー（ＳＰＥＣＴ）検出器により行われる，請求項１−５のいずれかに記載のイメージング方法。
【請求項７】
共通の測定装備により，生物発光および／または蛍光マーカーのインビボ分布および放射性マーカーのインビボ分布を同一の投影角で交互に決定するためのイメージング方法であって，生物発光および／または蛍光マーカーの分布は，生物発光および／または蛍光マーカーにより放出される第１の平均エネルギーを有する光子を少なくとも１つの第１の検出器により独立して検出することにより決定され，これと交互に，放射性マーカーの分布は，放射性マーカーにより放出される第２の平均エネルギーを有する光子を少なくとも１つの第２の検出器により独立して検出することにより決定されることを特徴とする方法。
【請求項８】
請求項１−７のいずれかに記載のイメージング方法を実施するための装置であって，第１の検出器に少なくとも１つのＣＣＤカメラ，第２の検出器として少なくとも１つの単一光子放出コンピュータトモグラフィー（ＳＰＥＣＴ）検出器，および生物発光および／または蛍光マーカーの光子を本質的に反射し，かつ放射性マーカーの光子を本質的に透過させる層を含む装置。
【請求項９】
少なくとも１つのＳＰＥＣＴ検出器が，多数のシンチレーション結晶を含むシンチレーション結晶アレイおよび空間的に分解する光電子増倍管アレイを含む，請求項８記載の装置。
【請求項１０】
互いに向かい合う２つの冷却ＣＣＤカメラ，ＣＣＤカメラと垂直に配置されているＳＰＥＣＴ検出器，ＳＰＥＣＴ検出器の前面に配置され，９０°の角度で曲がっている遮蔽，および遮蔽上に固定され，同様に９０°の角度で曲がっている層を含み，前記層の曲り端は遮蔽の曲り端上に位置しており，層は，遮蔽中の窓を覆っており，生物発光および／または蛍光マーカーにより放出される光子を主として反射し，かつ放射性マーカーにより放出される光子を主として透過させる，請求項８および９のいずれかに記載の装置。
【請求項１１】
互いに向かい合っている２つのＳＰＥＣＴ検出器の間で，互いに平行に向けられており反対側に位置する２つの冷却ＣＣＤカメラ，およびそれぞれ少なくとも２つの窓を有する２つのマスクを含み，各々の層はＳＰＥＣＴ検出器の前面に設置されており，前記層は，生物発光および／または蛍光マーカーにより放出される光子を主として反射させ，かつ放射性マーカーにより放出される光子を主として透過させる，請求項８および９のいずれかに記載の装置。
【請求項１２】
層が生物発光および／または蛍光マーカーにより放出される光子を乱反射する，請求項１１記載の装置。
【請求項１３】
同じ方向に向けられ互いに間隔をあけて置かれた２つの冷却ＣＣＤカメラ，ＣＣＤカメラに垂直に配置されている２つのＳＰＥＣＴ検出器，２つのＳＰＥＣＴ検出器の間に置かれたそれぞれ少なくとも２つの窓を有する２つのマスクおよび２つのレンズ，本質的に層を含む２つの反射器を含み，層は，生物発光および／または蛍光マーカーにより放出され，マスク中の窓を通してＳＰＥＣＴ検出器の方向に進み，レンズにより焦束された光子を，ＣＣＤカメラの方向に主として反射させる方向に向けられている，請求項８および９のいずれかに記載の装置。
【請求項１４】
調べるべき被験物の現在の位置を決定するための位置センサーを含む，請求項１３記載の装置。
【請求項１５】
マスクが，測定の間にＣＣＤカメラの視野の外（位置Ｂ）に動くことができ，視野の中（位置Ａ）に動くことができる，請求項１３および１４のいずれかに記載の装置。
【請求項１６】
窓が皿型の長い開口部である，請求項１０−１５のいずれかに記載の装置。
【請求項１７】
冷却ＣＣＤカメラ，ＣＣＤカメラに垂直に配置されたＳＰＥＣＴ検出器，ＳＰＥＣＴ検出器の前面に配置され９０°の角度で外側に曲がっている遮蔽，および遮蔽上に固定され同様に９０°の角度で曲がっている反射層を含み，前記層の曲り端は遮蔽の曲り端上に位置しており，反射層は遮蔽中の窓を覆っており，ＳＰＥＣＴ検出器，遮蔽，ならびに反射層および窓，および鏡および対構成レーザーが移動可能な様式で形成されているプラットホーム上に取り付けられている，請求項８および９のいずれかに記載の装置。
【請求項１８】
移動可能プラットホームが，回転可能な様式で形成されている支持台上に配置されている，請求項１７記載の装置。
【請求項１９】
反射層の別々の視野が，鏡の配置によりＣＣＤカメラの対物レンズ中で互いに近接する様式でイメージングされる，請求項１７記載の装置。
【請求項２０】
レーザービームにより対象物中のＮＩＲＦマーカーを励起するために，対構成レーザービームおよび一方の側が透過性の鏡が移動可能プラットホーム上に互いに反対側に取り付けられている，請求項１７記載の装置。
【請求項２１】
小動物のインビボ研究または遺伝子発現のインビボ観察を行うか，または乳，前立腺，皮膚腫瘍または甲状腺をイメージングする，請求項１記載のイメージング方法。
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
配列番号１、２、４〜１０、１３、１４および１６〜３１、ならびにそれらの機能的に均等なフラグメント、誘導体およびバリアントからなる群より選ばれるペプチド。
【請求項２】
上記ポリペプチドがポリエチレングリコールポリマーに連結されている、請求項１に記載のポリペプチド。
【請求項３】
上記ポリエチレングリコールが少なくとも３０ｋＤの分子量を有する、請求項２に記載のポリペプチド。
【請求項４】
上記ポリエチレングリコールが分岐している請求項３に記載のポリペプチド。
【請求項５】
請求項１に記載のポリペプチド配列をコードするポリヌクレオチド、またはその縮重バリアント。
【請求項６】
請求項５に記載のポリヌクレオチドを含んでなるベクター。
【請求項７】
請求項６に記載のベクターを含んでなる宿主細胞。
【請求項８】
ａ）請求項７に記載の宿主細胞を、上記ポリペプチドの発現に適する条件下で培養し；そして
ｂ）宿主細胞カルチャーからポリペプチドを回収する、
ことを含んでなるポリペプチドの生産法。
【請求項９】
ポリエチレングリコールポリマーをＧＬＰ−１受容体アゴニストに連結する工程を含んでなる、該ＧＬＰ−１受容体アゴニストの胃腸管副作用を減少または抑制する方法。
【請求項１０】
上記ポリエチレングリコールが少なくとも３０ｋＤの分子量を有する、請求項９に記載の方法。
【請求項１１】
上記ポリエチレングリコールが分岐している請求項１０に記載の方法。
【請求項１２】
上記ＧＬＰ−１受容体アゴニストが配列番号１、２、４〜１０、１３、１４および１６〜３１、ならびに機能的に均等なフラグメント、誘導体およびバリアントからなる群から選択されるペプチドである、請求項９に記載の方法。
【請求項１３】
治療に有効量の請求項１〜４のいずれか１つのポリペプチドまたはそれらの機能的に均等なフラグメント、誘導体もしくはバリアントを、製薬学的に許容される得る担体と組み合わせて含んでなる製薬学的組成物。
【請求項１４】
治療に有効量の請求項１〜４のいずれか１つのポリペプチドまたはそれらの機能的に均等なフラグメント、誘導体もしくはバリアントを、製薬学的に許容される得る担体および１以上の薬剤と組み合わせて含んでなる製薬学的組成物。
【請求項１５】
上記薬剤が、ＰＰＡＲアゴニスト、スルホニルウレア薬、非スルホニルウレア分泌促進薬、α−グルコシダーゼインヒビター、インスリン感作物質、インスリン分泌促進薬、肝グルコース排出低下化合物、インスリン、抗肥満薬、ＨＭＧ  ＣｏＡレダクターゼインヒビター、ニコチン酸、胆汁酸抑制薬、フィブリン酸誘導体および抗高血圧薬からなる群から選択される、請求項１４に記載の製薬学的組成物。
【請求項１６】
有効量の請求項１〜４のいずれか１つのポリペプチドまたはその機能的に均等なフラグメント、誘導体もしくはバリアントを、不活性担体と組み合わせて含んでなる組成物。
【請求項１７】
有効成分として請求項１ないし４のいずれか１つのポリペプチドを含んでなる糖尿病の処置用製薬学的製剤。
【請求項１８】
糖尿病が１型糖尿病、２型糖尿病、若年者の成人発生型糖尿病、成人の潜在的自己免疫糖尿病、妊娠糖尿病、症候群Ｘからなる群から選択される、請求項１７に記載の製剤。
【請求項１９】
ポリペプチドが１以上の薬剤と組み合わせて投与されることを特徴とする、請求項１７に記載の製剤。
【請求項２０】
薬剤が、ＰＰＡＲアゴニスト、スルホニルウレア薬、非スルホニルウレア分泌促進薬、α−グルコシダーゼインヒビター、インスリン感作物質、インスリン分泌促進薬、肝グルコース排出低下化合物、インスリンおよび抗肥満薬からなる群から選択されることを特徴とする、請求項１９に記載の製剤。
【請求項２１】
ポリペプチドが、ＨＭＧ  ＣｏＡレダクターゼインヒビター、ニコチン酸、胆汁酸抑制剤、フィブリン酸誘導体および抗高血圧薬からなる群から選択される、１以上の薬剤
と組み合わせて投与されることを特徴とする請求項１７に記載の製剤。
【請求項２２】
ポリペプチドおよび１以上の薬剤が単一の製薬学的製剤として投与されることを特徴とする、請求項１９ないし２１のいずれか１項に記載の製剤。
【請求項２３】
糖尿病の処置および／または予防のための請求項１ないし４のいずれか１項に記載のポリペプチド。
【請求項２４】
請求項１ないし４のいずれか１項に記載の少なくとも１つのポリペプチドを、少なくとも１つの製薬学的に許容され得る、製薬学的に安全な担体または賦形剤と組み合わせて含む薬剤。
【請求項２５】
糖尿病の処置および／または予防用の薬剤を製造するための、請求項１に記載のポリペプチドの使用。
【請求項２６】
糖尿病の処置および／または予防用の請求項２４に記載の薬剤。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
（a）C3b様受容体と結合する抗原認識部分および
（b）該抗原認識部分と架橋した1つ以上の二本鎖DNA分子
を含む二重特異性分子を含有する精製組成物の生産方法であって、アルコール溶液を用いて二重特異性分子を沈殿させることを含む、上記方法。
【請求項２】
上記沈殿させるステップの前に、上記の抗原認識部分を1つ以上の二本鎖DNA分子と架橋させて上記の二重特異性分子を含有する組成物を生産することによって、上記二重特異性分子を生産するステップをさらに含む、請求項1記載の方法。
【請求項３】
請求項２記載の方法であって、上記架橋が
（i）1つ以上のdsDNA分子と1-エチル-3-(3-ジメチルアミノプロピル)-カルボジイミドとを反応させて、活性化リン酸イミダゾリド-dsDNA（PI-dsDNA）を生産すること；
（ii）上記PI-dsDNAとシスタミンとを反応させて、シスタミン化dsDNAを生産すること；
（iii）上記シスタミン化dsDNAとジチオスレイトールとを反応させて、SH-dsDNAを生産すること；
（iv）上記抗原認識部分とスルホサクシニミジル4-(N-マレイミドメチル)シクロヘキサン-1-カルボキシレートとを反応させて、マレイミド修飾化抗原認識部分を生産すること；および
（v）SH-dsDNAと上記マレイミド修飾化抗原認識部分とを反応させて、上記の1つ以上のdsDNA分子に架橋した上記抗原認識部分を含む二重特異性分子を含有する組成物を生産すること、
を含む方法によって行われる、上記方法。
【請求項４】
上記沈殿させるステップの前に、イオン交換クロマトグラフィーを用いてステップ（v）で生産する上記組成物から遊離IgG抗体を除去するステップをさらに含む、請求項３記載の方法。
【請求項５】
上記アルコール溶液が体積で50％のイソプロピルアルコールを含む、請求項１〜４のいずれか１項に記載の方法。
【請求項６】
上記抗原認識部分が抗-CR1モノクローナル抗体である、請求項１〜５のいずれか１項に記載の方法。
【請求項７】
上記の1つ以上の二本鎖DNA分子のサイズが各々100〜5000塩基対の範囲内である、請求項１〜６のいずれか１項に記載の方法。
【請求項８】
上記の1つ以上の二本鎖DNA分子のサイズが各々200〜3000塩基対の範囲内である、請求項７記載の方法。
【請求項９】
上記の1つ以上の二本鎖DNA分子のサイズが各々500〜2500塩基対の範囲内である、請求項８記載の方法。
【請求項１０】
上記の1つ以上の二本鎖DNA分子のサイズが各々500〜1500塩基対の範囲内である、請求項９記載の方法。
【請求項１１】
（a）C3b様受容体と結合する抗原認識部分および
（b）該抗原認識部分と架橋した二本鎖DNA分子
を含む二重特異性分子を含有する精製組成物であって、請求項１〜１０のいずれか１項に記載の方法により生産される上記精製組成物。
【請求項１２】
上記精製組成物のDNA濃度が少なくとも1.100mg/mlである、請求項１１記載の精製組成物。
【請求項１３】
上記精製組成物のタンパク質濃度が少なくとも0.200mg/mlである、請求項１１又は
１２に記載の精製組成物。
【請求項１４】
固定化されたCR1受容体分子への結合をELISAにより測定すると、上記精製組成物が少なくとも0.030mg/mlの力価を有する、請求項１１〜１３のいずれか１項に記載の精製組成物。
【請求項１５】
上記精製組成物が0.006mg/ml未満の遊離IgGタンパク質の濃度を有する、請求項１１〜１４のいずれか１項に記載の精製組成物。
【請求項１６】
薬物として使用するための、請求項１１〜１５のいずれか１項に記載の精製組成物。
【請求項１７】
全身性エリトマトーデス（SLE）の治療用の薬物の調製のための、請求項１１〜１５のいずれか１項に記載の精製組成物の使用。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
喘息またはCOPDの治療のためのワクチン組成物であって、ワクチン接種を受けた個体において自己IL−13に対して免疫応答を生じさせることが可能な免疫原と、サポニンおよびLPSの非毒性誘導体の組合せを含むアジュバント組成物とを含んでなる上記ワクチン組成物。
【請求項２】
前記免疫原がヒトIL−13に対する免疫応答を生じさせる、請求項1に記載のワクチン。
【請求項３】
前記免疫原が外来のTヘルパーエピトープを補充したヒトIL−13を含む、請求項2に記載のワクチン。
【請求項４】
ワクチン接種を受けた個体において自己IL−13に対して免疫応答を生じさせることが可能な前記免疫原が、キメラヒトIL−13免疫原である、請求項2に記載のワクチン。
【請求項５】
前記免疫原が、ヒトIL−13 B細胞エピトープで置換された非ヒトIL−13主鎖を含む、請求項4に記載のワクチン。
【請求項６】
前記キメラヒトIL−13の配列が、天然のヒトIL−13と類似するコンホメーション形を有し、その配列中にヒトに投与した際に、その免疫原性を高めるために十分なアミノ酸配列の多様性を有しており、該キメラIL−13免疫原が、
(a)  以下のαへリックス領域：
PSTALRELIEELVNIT、MYCAALESLI、KTQRMLSGFまたはAQFVKDLLLHLKKLFREの少なくとも2ヶ所での置換突然変異を含む、
(b)  以下の異種間高保存領域、3PVP, 12ELIEEL, 19NITQ, 28LCN, 32SMVWS, 50SL, 60AI, 64TQ, 87DTKIEVA, 99LL, 106LF、の少なくとも6ヶ所を非突然変異形態で含む、および
(c)  場合により、残りのアミノ酸のいずれかに突然変異を含むヒトIL−13の配列を有することを特徴とし、その際、a、bまたはcで行われた全ての置換が構造的保存置換である、請求項4に記載のワクチン。
【請求項７】
前記ヒトIL−13のアミノ酸配列が、ヒト以外の種のIL−13配列内の同等位置、すなわち8T, 11R, 18V, 49E, 62K, 66M, 69G, 84H, 97K, 101L, 105K, 109E, 111Rの13ヶ所の少なくとも6ヶ所、に存在するアミノ酸の特性を示す置換または保存的置換を含む、請求項6に記載のワクチン。
【請求項８】
以下の置換の少なくとも6つを含んでなる、請求項7に記載のワクチン。
2006501249.tif 000001
【請求項９】
前記IL−13の構成要素が以下の群：免疫原１、免疫原11、免疫原12および免疫原13から選択される、請求項4に記載のワクチン。
【請求項１０】
以下の群：免疫原2、免疫原3、免疫原7、免疫原8、免疫原9および免疫原10から選択される、請求項4に記載のワクチン。
【請求項１１】
前記サポニンがQS21である、請求項1〜10のいずれか1項に記載のワクチン。
【請求項１２】
前記LPSの非毒性誘導体が、３D−MPLである、請求項1〜10のいずれか1項に記載のワクチン。
【請求項１３】
前記アジュバントが、QS21と3D−MPLとの組合せである、請求項1〜12のいずれか1項に記載のワクチン。
【請求項１４】
さらに免疫賦活性オリゴヌクレオチドを含む、請求項1〜13のいずれか1項に記載のワクチン。
【請求項１５】
前記免疫賦活性オリゴヌクレオチドがTCG TCG TTT TGT CGT TTT GTC GTT (オリゴ 4)配列を有する、請求項14に記載のワクチン。
【請求項１６】
前記ワクチンが、オーソロガスなIL−13配列を含むヒトIL−13免疫原を含み、オーソロガスなB細胞エピトープの少なくとも1つが同等のヒト配列に置換されている、請求項1に記載のワクチン。
【請求項１７】
IL−13に対して免疫応答を生じさせることが可能な免疫源と、サポニンおよびIL−13の非毒性誘導体とを混合することを含む、ワクチンの製造方法。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
グルタミン酸残基及びアスパラギン酸残基からなる群から選択される１種以上のアミノ酸残基とリジン残基とを含有するポリペプチドを含んでなる分子であって、リジン残基の９０％未満が立体障害分子から誘導される基で置換されており、置換ポリペプチドがその平均直径の５〜５００倍の長さの立体配座を有している、分子。
【請求項２】
前記立体障害分子から誘導される基が、画像形成体をキレートできるものである、請求項１記載の分子。
【請求項３】
前記立体障害分子から誘導される基が常磁性体をキレートできるものである、請求項１記載の分子。
【請求項４】
前記立体障害分子が、ジエチレントリアミン五酢酸（ＤＴＰＡ）、１，４，７，１０−テトラアザシクロドデカン−１，４，７，１０−四酢酸（ＤＯＴＡ）、１，４，７，１０−テトラアザシクロドデカン−１，４，７，１０−テトラキス（２−プロピオン酸）（ＤＯＴＭＡ）、１，４，８，１１−テトラアザシクロテトラデカン−１，４，８，１１−四酢酸（ＴＥＴＡ）、１，４，７，１０−テトラアザシクロドデカン−１，４，７，１０−テトラキス［３−（４−カルボキシル）ブタン酸］、１，４，７，１０−テトラアザシクロドデカン−１，４，７，１０−テトラキス（酢酸メチルアミド）、１，４，７，１０−テトラアザシクロドデカン−１，４，７，１０−テトラキス（メチレンホスホン酸）、及びｐ−イソチオシアナトベンジル−１，４，７，１０−テトラアザシクロドデカン−１，４，７，１０−四酢酸（ｐ−ＳＣＮ−Ｂｚ−ＤＯＴＡ）、並びにビス（チオセミカルバゾン）、ビス（チオセミカルバゾン）誘導体、ポルフィリン、ポルフィリン誘導体、２，３−ビス（２−チオアセトアミド）プロピオネート、２，３−ビス（２−チオアセトアミド）プロピオネート誘導体、Ｎ，Ｎ′−ビス（メルカプトアセチル）−２，３−ジアミノプロパノエート、ビス（アミノエタンチオール）、及びビス（アミノエタンチオール）の誘導体からなる群から選択される、請求項１記載の分子。
【請求項５】
前記ポリペプチドがリジンとグルタミン酸とのランダム共重合体である、請求項１記載の分子。
【請求項６】
画像形成体、治療薬又は標的薬をさらに含んでなる、請求項１記載の分子。
【請求項７】
リジンとグルタミン酸とのランダム共重合体を含んでなる分子であって、リジン残基の９０％未満がジエチレントリアミン五酢酸から誘導される基で置換されており、置換共重合体がその平均直径の５〜５０倍の長さの立体配座を有していて、ジエチレントリアミン五酢酸から誘導される基の少なくとも一部がガドリニウムイオンと会合している、分子。
【請求項８】
請求項７記載の化合物を被検者に投与するステップ、及び
被検者を撮像するステップ
を含んでなる方法。
【請求項９】
前記化合物が、ジエチレントリアミン五酢酸から誘導される基で置換されたリジンとグルタミン酸とのランダム共重合体であり、ジエチレントリアミン五酢酸から誘導される基の少なくとも一部がガドリニウムイオンと会合している、請求項８記載の方法。
【請求項１０】
前記化合物が０．０１〜０．１ミリモルＧｄ／ｋｇの投与量で投与される、請求項９記載の方法。
【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
少なくとも１種の生物学的に活性なプロテアーゼと、
少なくとも１種の生物学的に活性なグリコシダーゼと、を含む組成物であって、
プロテアーゼとグリコシダーゼの活性比は、１，０００，０００：１〜１：１，０００，０００であり、総酵素活性は少なくとも２Ｕ／ｍｌである、組成物。
【請求項２】
前記組成物は、プロテアーゼとして、プロテイナーゼＫ、コラゲナーゼもしくはプロナーゼのうち少なくとも１種、または２種あるいは３種の混合物を含む、請求項１に記載の組成物。
【請求項３】
前記組成物は、グリコシダーゼとして、リゾチーム型、α−アミラーゼ型もしくはデキストラナーゼ型のグリコシダーゼのうち少なくとも１種、または２種あるいは３種の混合物を含む、請求項１または２に記載の組成物。
【請求項４】
前記組成物は、少なくとも２種のプロテアーゼと、少なくとも１種のグリコシダーゼとを含む、請求項１〜３のいずれか１項に記載の組成物。
【請求項５】
前記組成物は、以下の群のアジュバント：
ｉ．      錯化剤
ｉｉ．    酵素基質
ｉｉｉ．  酵素エフェクター
ｉｖ．    増粘剤
ｖ．      保存剤
ｖｉ．    安定化剤
の１種もしくはそれ以上から選択される少なくとも１種のアジュバント、
および／または少なくとも１種の溶媒、
および／または少なくとも１種の緩衝液、を含む請求項１〜４のいずれか１項に記載の組成物。
【請求項６】
前記少なくとも１種の酵素は、ｐＨ１〜１０の範囲で酵素活性を有する、請求項１〜５のいずれか１項に記載の組成物。
【請求項７】
請求項１〜６のいずれか１項に記載の組成物を製造する方法であって、
少なくとも１種の生物学的に活性なプロテアーゼと、少なくとも１種の生物学的に活性なグリコシダーゼを、該プロテアーゼと該グリコシダーゼの活性比が１，０００，０００：１〜１：１，０００，０００となり、総酵素活性が少なくとも２Ｕ／ｍｌとなるように混合する、請求項１〜６のいずれか１項に記載の組成物を製造する方法。
【請求項８】
少なくとも２種の酵素を含むキットであって、前記酵素は、請求項１〜６のいずれか１項に記載の組成物を得るために混和可能である、キット。
【請求項９】
請求項１〜６のいずれか１項に記載の少なくとも１種の組成物、少なくとも１種の処理溶液、および／または分離された溶媒、を含むキットであって、
前記処理溶液は、ｐＨ４未満の酸性範囲にタンパク質分解触媒作用の至適値を有する少なくとも１種のプロテアーゼを含む、キット。
【請求項１０】
カリエスを除去するための治療剤を製造するための、請求項１〜６のいずれか１項に記載の組成物の使用。
【請求項１１】
水、酸、ペプシンおよび流動性添加物を含む４．０以下のｐＨ値を有する組成物であって、前記ペプシンの濃度は１〜５０，０００Ｕ／ｍｇであり、前記組成物の粘度は１０〜１０００ｍＰａｓである、組成物。
【請求項１２】
さらに、ポリエーテルグリコール、もしくは両性イオン界面活性剤、またはポリエーテルおよび両性イオン界面活性剤の混合物が含まれる、請求項１１に記載の組成物。
【請求項１３】
前記組成物は阻害剤を含有することを特徴とする、請求項１１または１２に記載の組成物。
【請求項１４】
２種の成分ＡおよびＢを含む組成物であって、
ａ）成分Ａは、水と、ペプシンの活性が最も高くなるｐＨ値より大きなｐＨ値を提供する緩衝系と、流動性添加物とを含み、
ｂ）成分Ｂは、水と、ペプシンの活性が最も高くなるｐＨ値より小さなｐＨ値を提供する酸と、増粘剤と、ポリエーテル、もしくは両性イオン界面活性剤、またはポリエーテルおよび両性イオン界面活性剤の混合物と、を含む組成物。
【請求項１５】
前記成分Ａは５０，０００Ｕ／ｍｌ未満のペプシン活性を有することを特徴とする、請求項１４に記載の組成物。
【請求項１６】
前記成分Ａは２０ｍｇ／ｍｌ未満のペプシンを含有することを特徴とする、請求項１４または１５に記載の組成物。
【請求項１７】
前記成分ＡはｐＨ５〜６のリン酸緩衝液を含有し、前記成分ＢはｐＨ１．５〜４．０のリン酸を含有することを特徴とする、請求項１４〜１６のいずれか１項に記載の組成物。
【請求項１８】
前記成分Ａは増粘剤として多糖を含有することを特徴とする、請求項１４〜１７のいずれか１項に記載の組成物。
【請求項１９】
前記成分Ｂはポリエチレングリコールもしくはベタインまたはその両方を含有することを特徴とする、請求項１４〜１８のいずれか１項に記載の組成物。
【請求項２０】
前記成分Ｂは流動性添加物を含有することを特徴とする、請求項１４〜１９のいずれか１項に記載の組成物。
【請求項２１】
カリエスを除去するための治療剤を製造するための、ｐＨ７未満の範囲でタンパク質分解活性を有する酵素の使用。
【請求項２２】
カリエスを除去するための治療剤を製造するためのグリコシダーゼの使用。
【請求項２３】
少なくとも１つのチャンバは成分Ａを含有し、少なくとも１つのチャンバは成分Ｂを含有し、ここで、
前記成分Ａは水と、ペプシンの活性が最も高くなるｐＨ値より大きなｐＨ値を提供する緩衝系と、流動性添加物とを含み、
前記成分Ｂは、水と、ペプシンの活性が最も高くなるｐＨ値よりも小さなｐＨ値を提供する酸と、流動性添加物と、ポリエーテル、もしくは両性イオン界面活性剤、またはポリエーテルおよび両性イオン界面活性剤と、の混合物を含むことを特徴とする、液体を貯蔵および分配するためのマルチチャンバデバイス。